(57)【要約】【課題】畑の畝へのロールシートの付設作業を１人で実施可能にし、また造林地の樹木へのロールシートの付設作業の作業性を大幅に向上するとともに、作業現場が急峻な傾斜地でも安全に運搬可能にすること。【解決手段】筒状のケース本体と天板と底板とを備え、ケース本体の長手方向全長にわたって細長い開口部を設け、天板と底板の内面中央にロールシートを回動自在に支承する嵌挿部を設けて成り、ケース本体としては格子状である構成が軽量化の点で好適である。【選択図】  図１
2004284613.tif 000002
【特許請求の範囲】
【請求項１】
筒状のケース本体と天板と底板とを備え、ケース本体の長手方向略全長にわたって細長い開口部を設け、天板と底板の内面中央にロールシートを回動自在に支承する嵌挿部を設けたことを特徴とするロールシート用携行ケース。
【請求項２】
ケース本体が、格子状である請求項１に記載のロールシート用携行ケース。
【請求項３】
ケース本体に背負いベルトを設けた請求項１に記載のロールシート用携行ケース。
【請求項４】
開口部に沿ったケース本体外側に、引き出したシートを一時的に固定する挟持機構を設けた請求項１に記載のロールシート用携行ケース。
【発明の詳細な説明】
【０００１】
【発明の属する技術分野】
本発明は、農業や林業で使用するビニールシート、不織布シート、ネットなどのシート類を巻芯（例えば、紙管）に巻き取ったもの（以下、単にロールシートという）を携行するのに適したケースに関し、詳細には、田畑や造林地などの作業現場に１本づつ収納して運び、所望長さづつ引き出して畝や樹木などに付設するのに好適なロールシート用携行ケースに関する。
【０００２】
【従来の技術】
一般に、農業において、低温、降霜、害虫などの被害や雑草を防ぐために、シート類が畑の畝に被せられている。また、林業において、山間部に生息する鹿、熊、猪などによる摂食被害や角牙擦過被害を防ぐために、合成樹脂製ネットが造林した樹木の幹部分（通常、地上１ｍ〜１．５ｍ）に巻き付けられている。
【０００３】
従来、ロールシート用携行ケースはなかった。このため、畝への付設作業は、ロールシートの一端を畝に固定した後、二人の作業者がロールシート両端の巻芯を持って歩いて、畝全体を覆うようにシートを引き出して切断して行っているが、二人の作業者を要し、作業効率が悪かった。
【０００４】
また、幹部分への付設作業は、作業者がロールシートを担いで造林地の作業現場に運び、各樹木の幹部分の周囲に相当する長さづつネットを引き出して切断して行っている。しかるに、このロールシートは、網目４ｍｍ〜１５ｍｍ、幅１ｍ〜１．５ｍのネットを直径２０ｃｍ〜４０ｃｍの大きさに巻いたものが一般的であり、また造林地の作業現場は急峻な傾斜地が多い。よって、これらに起因して、ロールシートの運搬、付設作業には常に危険を伴い、滑落事故が生じたり、小枝が網目に引っ掛かかってスムースに引き出すことができず、作業効率が極めて悪く、多くの日時とコストを要していた。
【０００５】
そこで、作業者が少しでも担ぎ易いように、巻長を短くしてロール径を小にしたロールシートも用いられている。しかし、幹部分を被覆する長さに相当するロールシートの幅は短くすることができず、運搬作業の危険性は解消されず、またスムースに引き出すことができず、付設に際しての作業効率の改善には至っていない。
【０００６】
また、作業現場でのロールシートの引き出し、切断を無くすために、ロールシートを予め一定長さ（６０ｃｍ〜１００ｃｍ）に切断しておくことも考えられている。しかし、幹部分の太さは樹木によって異なり、対応できない場合が生じて実用的でないばかりか、やはり運搬作業の危険性の解消には至っていないのが実情である。
【０００７】
【発明が解決しようとする課題】
本発明は、従来技術の問題を解決するためになしたもので、畑の畝へのロールシートの付設作業を１人で実施可能にし、また造林地の樹木へのロールシートの付設作業の作業性を大幅に向上するとともに、急峻な傾斜地でも安全に運搬可能にすることを課題とする。
【０００８】
【課題を解決するための手段】
本発明に係るロールシート用携行ケースは、筒状のケース本体と天板と底板とを備え、ケース本体の長手方向には略全長にわたって細長い開口部を設け、天板と底板の内面中央にはロールシートを回動自在に支承する嵌挿部を設けて成る（請求項１）。
【０００９】
この手段によれば、ロールシートをケース本体内に収納して作業現場に安全に携行することができ、また作業現場にてケース本体を置いて、ロールシートの一端を開口部から引っ張ると、ロールシートが嵌挿部で以て回動して、所望の長さのシートがスムースに引き出される。そして、引き出されたシートの一部をナイフ、鋏などの切断具をで以て切断して所望箇所に付設することができる。
【００１０】
この発明において、軽量化の点を考慮すると、ケース本体を格子状にした構成（請求項２）が好適である。
【００１１】
また、運搬作業の利便性と安全性を考慮すると、ケース本体に背負いベルトを設けた構成（請求項３）にすると、急峻な傾斜地でも背負って安全に運搬することができる。
【００１２】
さらに、ロールシートを構成するシート類の材質によっては、開口部に沿ったケース本体外側に、引き出したシートの一部を一時的に固定する挟持機構を設けた構成（請求項４）にすると、柔軟で、薄いシート類でも真っ直ぐにずれることなく極めて容易に切断することができる。
【００１３】
ところで、ロールシートをケース本体内に入れる構成としては、例えば、天板を蝶番と係止金具で以て開閉可能にした構成にするか、または天板と底板を固定してケース本体を長手方向において半割り状にして蝶番と係止金具で以て開閉可能にした構成を採用することができる。
【００１４】
【発明の実施の形態】
本発明の一実施の形態を図面に基づいて説明する。
【００１５】
図１、２において、上下及び中間に配した略環状の横桟２、２．．に適当本数の縦桟３、３．．を所要間隔をおいてビス若しくは溶接によって固着して、周面が格子状である筒状のケース本体１を形成する。このケース本体１には、細長い開口部４を長手方向の略全長にわたって設け、またこの開口部４に沿ったケース本体１の外側には、挟持機構Ｃを設ける。
上記ケース本体１の上端面には、天板５を横桟２に蝶番６と係止金具７とで以て開閉自在に取着し、また下端面には、底板８を横桟２に固着する。この天板５と底板８の内面略中央には、短軸状の嵌挿部５ａ、８ａを突設して、所望の携行ケースＡを構成する。
【００１６】
この携行ケースＡは、縦桟３を持って携行し得るが、図１、２に示すように、背負いベルトＢをその端部に付着したフックで以て着脱自在に設けると背負って運搬することができる。
【００１７】
上記挟持機構Ｃは、図３に示すように、表面に滑り止め材１０を貼着した当接体９の下端に軸１２で以て揺動自在に取着した押さえ片１１とから成る。
【００１８】
次に、実施の形態の携行ケースＡの使用について、図４、５に基づいて説明する。
【００１９】
まず、天板５を開いてロールシートＲをケース本体１内に入れて、ロールシートＲの下端の紙管Ｒａに底板８の嵌挿部８ａを遊嵌し、天板５の嵌挿部５ａをロールシートＲの上端の紙管Ｒａ内に遊嵌しながら天板５を閉じて収納して、作業現場まで運搬する。よって、ケース本体１内のロールシートＲは、紙管Ｒａ内に遊嵌した嵌挿部５ａ、８ａで以て回動自在に支承されているから、開口部４からスムースに引き出される。そして、所要長引き出したシートを挟持機構Ｃで以て挟むことによって、ナイフ、鋏などの切断具で以てシートがずれることなく真っ直ぐに切断して、付設することができる。
【００２０】
ところで、この場合において、ケース本体１の構成素材である横桟２、縦桟３、天板５、底板８及び嵌挿部５ａ、８ａには、できるだけ重量を軽くするために、アルミニウム製の板と管を用いたが、塩化ビニール樹脂やアクリル樹脂などのプラスチック製のものを用いることも可能である。
【００２１】
嵌挿部５ａの先端部分は、所定角度（例えば、３０度）で切断した傾斜面にすると紙管への遊嵌をより一層容易にすることができる。
【００２２】
開口部４の大きさとしては、ロールシートを構成するシート類の厚みに応じて適宜変更することができるが、長さがロールシートの幅よりも３０ｍｍ〜５０ｍｍ長く、幅は２０ｍｍ〜３０ｍｍ広いようにすると、ロールシートが蛇行せずにスムースに引き出せることができて、実用的である。
【００２３】
【実施例】
ロールシート用携行ケースの実施例について説明する。
【００２４】
2004284613.tif 000003
【００２５】
【発明の効果】
本発明によるときは、農業や林業で使用されるロールシートをケース本体内に収納して作業現場に安全に携行することができ、また作業現場にてケース本体を置いて、ロールシートの一端を開口部から引っ張ると、ロールシートが嵌挿部で以て回動して、所望の長さのシートがスムースに引き出すことができ、付設作業の作業性を大幅に向上することできるとともに、急峻な傾斜地でも安全に運搬することができる。
【図面の簡単な説明】
【図１】一実施の形態を示す正面図である。
【図２】同背面図である。
【図３】挟持機構の説明図である。
【図４】使用状態を示す縦断面図である。
【図５】使用状態を示す横断面図である。
【符号の説明】
Ａ・・・携行ケース
Ｂ・・・背負いベルト
Ｃ・・・挟持機構
１・・・ケース本体
２・・・横桟
３・・・縦桟
４・・・開口部
５・・・天板
５ａ・・嵌挿部
６・・・蝶番
７・・・係止金具
８・・・底板
８ａ・・嵌挿部
９・・・当接体
１０・・滑り止め材
１１・・押さえ片
１２・・軸
【図１】
2004284613.tif 000004
【図２】
2004284613.tif 000005
【図３】
2004284613.tif 000006
【図４】
2004284613.tif 000007
【図５】
2004284613.tif 000008